(57)【要約】【課題】永久磁石の磁極の脱落が避けられ、磁力が弱くなることも避けられる通電巻線により励磁される磁極によって永久磁石の磁極を挟む電機を提供する。【解決手段】通電巻線１００によって励磁される磁極１０１と連結する磁路部材１０２との間に永久磁石の磁極１０３を挟む。磁気伝達極面体１０１の極面は、電磁効果をインタラクトする別の電機構造体と向かい合う。通電巻線１００により励磁される磁極によって永久磁石の磁極１０３を挟む設計によって、永久磁石の磁極１０３は振動により脱落することが避けられ、及び電機作動中に、逆方向励磁により磁力が弱くなることが避けられる。【選択図】図２
2009124938.tif 000002
【特許請求の範囲】
【請求項１】
通電巻線（１００）によって励磁される磁極（１０１）と連結する磁路部材（１０２）との間に永久磁石の磁極（１０３）を挟むことを特徴とし、磁極（１０１）の磁路部材（１０２）の連結及び設置に供する通電巻線の磁極（１０１）はシリコン鋼片または鋼或いは鉄等のよく使われる良好な磁気伝達材料を使用し、一体構成或いは複数の材質が重なり合って、或いは、磁気伝達性材料の粉末冶金より構成するものであって、磁気伝達極面体（１０１）の極面は電磁効果をインタラクトする別の電機構造体と向かい合い、磁気伝達極面体（１０１）の極面はニーズによって凹や凸弧面状或いは平面状形を呈し、更なるニーズに従って溝或いは凹凸或いは特定の幾何形状を持つ極面を選択することを特徴とする通電巻線により励磁される磁極によって永久磁石の磁極を挟む電機。
【請求項２】
永久磁石の磁極（１０３）の設置方式は、今までの各種電機によく使われる通電巻線（１００）により励磁される個別磁極（１０１）と磁路部材（１０２）との間に永久磁石の磁極（１０３）を挟み、通電巻線（１００）の励磁極性と永久磁石の磁極（１０３）の極性関係は励磁或いは減磁する電機特性があることを特徴とする請求項１記載の通電巻線により励磁される磁極によって永久磁石の磁極を挟む電機。
【請求項３】
永久磁石の磁極（１０３）の設置方式は、通電巻線（１００）によって励磁される磁極（１０１）の中間に設置し、永久磁石の磁極（１０３）を挟み、通電巻線（１００）の励磁極性と永久磁石の磁極（１０３）の極性関係は励磁或いは減磁する電機特性があることを特徴とする請求項１記載の通電巻線により励磁される磁極によって永久磁石の磁極を挟む電機。
【請求項４】
永久磁石の磁極（１０３）の設置方式は、通電巻線（１００）によって励磁される異極性の個別磁極（１０１）の間にある磁路部材（１０２）の中間に設置し、永久磁石の磁極（１０３）を固定設置又は挟み、通電巻線（１００）の励磁極性と永久磁石の磁極（１０３）の極性関係は励磁或いは減磁する電機特性があることを特徴とする請求項１記載の通電巻線により励磁される磁極によって永久磁石の磁極を挟む電機。
【請求項５】
電機子（３）を持つローター式整流子或いは複巻電動機へ応用し、電機或いは発電機として機能を作動するときに、通電巻線（１００）と電機子（３）は直列になるので、通電巻線（１００）と永久磁石の磁極（１０３）との間にある極性を操作することにより、対応する電機特性は下記の通りになり、
ｉ．同回転方向作動時、電機は蓄積励磁電機及び蓄積励磁発電機の電機特性で作動し、或いは、
ｉｉ．同回転方向作動時、電機は蓄積励磁電機及び差異励磁発電機の電機特性で作動し、或いは、
ｉｉｉ．同回転方向作動時、電機は差異励磁電機及び蓄積励磁発電機の電機特性で作動し、或いは、
ｉｖ．同回転方向作動時、電機は差異励磁電機及び差異励磁発電機の電機特性で作動し、或いは、
ｖ．異なる回転方向作動時、電機は蓄積励磁電機及び蓄積励磁発電機の電機特性で作動し、或いは、
ｖｉ．異なる回転方向作動時、電機は蓄積励磁電機及び差異励磁発電機の電機特性で作動し、或いは、
ｖｉｉ．異なる回転方向作動時、電機は差異励磁電機及び蓄積励磁発電機の電機特性で作動し、或いは、
ｖｉｉｉ．同回転方向作動時、電機は差異励磁電機及び差異励磁発電機の電機特性で作動し、
ただし電機の通電巻線（１００）と永久磁石の磁極（１０３）の極性関係は下記の一種或いは一種以上の操作制御方式により操作制御し、操作制御方式は下記を含み、
１．通電巻線（１００）の電流方向を通して通電巻線（１００）と永久磁石の磁極（１０３）の極性関係を励磁或いは減磁する極性関係に変更し、
２．直流電源の正負極性を通して通電巻線（１００）と永久磁石の磁極（１０３）の極性関係を励磁或いは減磁する極性関係に変更し、
３．発電機或いは電機の両方或いはその中の一方の回転方向を通して通電巻線（１００）と磁極（１０１）の極性関係を励磁或いは減磁する電機特性に変更することを特徴とする請求項１記載の通電巻線により励磁される磁極によって永久磁石の磁極を挟む電機。
【請求項６】
永久磁石の磁極（１０３）を挟む方式は、ファスナーで固定或いは挟み固定、ねじや袋ナットで固定、リベットで固定、ピンと穴構造で固定、ぴったりした寸法及び選定した幾何形状に合わせて嵌め込み固定、磁路構造で挟み圧迫、機械外殻で挟み圧迫、専用部材で挟み圧迫、接着材料で接着する方式で永久磁石の磁極（１０３）を挟み、或いは、その他永久磁石の磁極（１０３）を挟む選択方式を含むことを特徴とする請求項１記載の通電巻線により励磁される磁極によって永久磁石の磁極を挟む電機。
【請求項７】
電機の内層構造及び電機の外層構造を持つシリンダー形電機であって、電機の内層構造（１１）及び電機の外層構造（１２）より構成するものを含み、その特徴は、
１．電機の外層構造（１２）は電機の内層構造（１１）の電磁カップリング効果の面に向き、或いは、
２．電機の内層構造（１１）は電機の外層構造（１２）の電磁カップリング効果の面に向き、
上記１項及び２項の電磁カップリング効果の面に通電巻線（１００）によって励磁される個別磁極（１０１）を設置し、個別磁極（１０１）の磁路部材との中間に永久磁石の磁極（１０３）を挟み、或いは、個別磁極（１０１）と磁路部材（１０２）との間に励磁状態になっている永久磁石の磁極（１０３）を挟み、更に通電巻線により励磁される磁極（１０１）と磁路部材（１０２）との間に励磁状態になっている永久磁石の磁極（１０３）を挟むシリンダー形電機であることを特徴とする請求項１記載の通電巻線により励磁される磁極によって永久磁石の磁極を挟む電機。
【請求項８】
電機の内リング構造と電機の中にあるリング構造と電機の外リング構造とがセットになって同軸作動を行う同軸三リング電機を構成してもよいが、電機の内リング構造（２１）と電機の中にあるリング構造（２２）と電機の外リング構造（２３）とより構成するものを含み、その特徴は、
１．電機の外リング構造（２３）は電機の中にあるリング構造（２２）の電磁カップリング効果の面に向き、或いは、
２．電機の中にあるリング構造（２２）は電機の内リング構造（２１）の電磁カップリング効果の面に向き、或いは、
３．電機の内リング構造（２１）は電機の中にあるリング構造（２２）の電磁カップリング効果の面に向き、或いは、
４．電機の中にあるリング構造（２２）は電機の外リング構造（２３）の電磁カップリング効果の面に向き、
上記１項、２項、３項及び４項の電磁カップリング効果の面に通電巻線（１００）によって励磁される個別磁極（１０１）を設置し、個別磁極（１０１）の磁極磁路の中間に永久磁石の磁極（１０３）を挟み、或いは、個別磁極（１０１）と磁路部材（１０２）との間に励磁状態になっている永久磁石の磁極（１０３）を挟み、更に通電巻線により励磁される磁極（１０１）と磁路部材（１０２）との間に励磁状態になっている永久磁石の磁極（１０３）を挟む同軸三リング式電機であることを特徴とする請求項１記載の通電巻線により励磁される磁極によって永久磁石の磁極を挟む電機。
【請求項９】
電機の内リング構造と電機の中にあるリング構造と電機の外リング構造とがセットになって同軸作動を行う同軸三リング電機を構成してもよいが、電機の内リング構造（２１）と電機の中にあるリング構造（２２）と電機の外リング構造（２３）とより構成するものを含み、その特徴は、
１．電機の外リング構造（２３）は電機の中にあるリング構造（２２）の電磁カップリング効果の面に向き、及び電機の中にあるリング構造（２２）は電機の内リング構造（２１）の電磁カップリング効果の面に向き、或いは、
２．電機の内リング構造（２１）は電機の中にあるリング構造（２２）の電磁カップリング効果の面に向き、及び電機の中にあるリング構造（２２）は電機の外リング構造（２３）の電磁カップリング効果の面に向き、或いは、
３．電機の外リング構造（２３）は電機の中にあるリング構造（２２）の電磁カップリング効果の面に向き、及び電機の内リング構造（２１）は電機の中にあるリング構造（２２）の電磁カップリング効果の面に向き、或いは、
４．電機の中にあるリング構造（２２）は電機の外リング構造（２３）及び電機の内リング構造（２１）の電磁カップリング効果の面に向き、
上記１項、２項、３項及び４項の電磁カップリング効果の面に通電巻線（１００）によって励磁される個別磁極（１０１）を設置し、個別磁極（１０１）の磁極磁路の中間に永久磁石の磁極（１０３）を挟み、或いは、個別磁極（１０１）と磁路部材（１０２）との間に励磁状態になっている永久磁石の磁極（１０３）を挟み、更に通電巻線により励磁される磁極（１０１）と磁路部材（１０２）との間に励磁状態になっている永久磁石の磁極（１０３）を挟む同軸三リング式電機であることを特徴とする請求項１記載の通電巻線により励磁される磁極によって永久磁石の磁極を挟む電機。
【請求項１０】
電機の内リング構造と電機の中にあるリング構造と電機の外リング構造とがセットになって同軸作動を行う同軸三リング電機を構成してもよいが、電機の内リング構造（２１）と電機の中にあるリング構造（２２）と電機の外リング構造（２３）とより構成するものを含み、その特徴は、
電機の中にあるリング構造（２２）は永久磁石の磁極（１０３）の設置により、磁極を構成し、永久磁石の磁極（１０３）に通電励磁巻線（１００）を巻付け、永久磁石の磁極（１０３）の両端の磁極を別々に電機の内リング構造（２１）及び電機の外リング構造（２３）の両側でカップリングを行う電磁効果をインタラクトし、更に永久磁石の磁極を巻付け、励磁状態になっている巻線を構成する同軸三リング式電機であることを特徴とする請求項１記載の通電巻線により励磁される磁極によって永久磁石の磁極を挟む電機。
【請求項１１】
二層構造が重なって同軸作動を行う同軸二層式ディスク電機を構成してもよいが、電機の内層ディスク構造（３１）及び電機の外層ディスク構造（３２）より構成されたものを含み、その特徴は、
電機の内層ディスク構造（３１）は電機の外層ディスク構造（３２）の電磁カップリング効果の面に向き、通電巻線の励磁型個別磁極（１０１）の磁極磁路の中間に永久磁石の磁極（１０３）を挟み、或いは、個別磁極（１０１）と磁路部材（１０２）との間に挟んで取り付け、励磁状態になっている永久磁石の磁極（１０３）を挟むことにより、電機の外層ディスク構造（３２）と電磁効果をインタラクトし、或いは、その中にある電機の外層ディスク構造（３２）は電機の内層ディスク構造（３１）の電磁カップリング効果の面に向き、通電巻線の励磁型個別磁極（１０１）の磁極磁路の中間に永久磁石の磁極を挟み、或いは、個別磁極（１０１）と磁路部材（１０２）との間に励磁状態になっている永久磁石の磁極（１０３）を挟むことにより、電機の内層ディスク構造（３１）と電磁効果をインタラクトし、更に通電巻線により励磁される磁極（１０１）と磁路部材（１０２）との間に励磁状態になっている永久磁石の磁極（１０３）を挟む同軸二層式ディスク電機であることを特徴とする請求項１記載の通電巻線により励磁される磁極によって永久磁石の磁極を挟む電機。
【請求項１２】
電機の内層構造と電機の中層構造と電機の外層構造とが重なって同軸作動を行う同軸三層式ディスク電機を構成してもよいが、電機の内層ディスク構造（４１）と電機の中層ディスク構造（４２）と電機の外層ディスク構造（４３）とによって構成するものを含み、その特徴は、
１．電機の内層ディスク構造（４１）は電機の中層ディスク構造（４２）の電磁カップリング効果の面に向き、或いは、
２．電機の中層ディスク構造（４２）は電機の内層ディスク構造（４１）の電磁カップリング効果の面に向き、或いは、
３．電機の中層ディスク構造（４２）は電機の外層ディスク構造（４３）の電磁カップリング効果の面に向き、或いは、
４．電機の外層ディスク構造（４３）は電機の中層ディスク構造（４２）の電磁カップリング効果の面に向き、
上記１項、２項、３項及び４項の電磁カップリング効果の面に通電巻線（１００）に励磁される個別磁極（１０１）を設置し、個別磁極（１０１）の磁極磁路の中間に永久磁石の磁極（１０３）を挟み、或いは、個別磁極（１０１）と磁路部材（１０２）との間に励磁状態になっている永久磁石の磁極（１０３）を挟み、更に通電巻線により励磁される磁極（１０１）と磁路部材（１０２）との間に励磁状態になっている永久磁石の磁極（１０３）を挟む同軸三層式ディスク電機であることを特徴とする請求項１記載の通電巻線により励磁される磁極によって永久磁石の磁極を挟む電機。
【請求項１３】
電機の内層構造と電機の中層構造と電機の外層構造とが重なって同軸作動を行う同軸三層式ディスク電機を構成してもよいが、電機の内層ディスク構造（４１）と電機の中層ディスク構造（４２）と電機の外層ディスク構造（４３）とによって構成するものを含み、その特徴は、
１．電機の内層ディスク構造（４１）は電機の中層ディスク構造（４２）の電磁カップリング効果の面に向き、及び電機の中層ディスク構造（４２）は電機の外層ディスク構造（４３）の電磁カップリング効果の面に向き、或いは、
２．電機の外層ディスク構造（４３）は電機の中層ディスク構造（４２）の電磁カップリング効果の面に向き、及び電機の中層ディスク構造（４２）は電機の内層ディスク構造（４１）の電磁カップリング効果の面に向き、或いは、
３．電機の内層ディスク構造（４１）及び電機の外層ディスク構造（４３）の両方は電機の中層ディスク構造（４２）と電磁カップリング効果を行う電磁カップリング効果の面に向き、或いは、
４．電機の中層ディスク構造（４２）の両側は電機の内層ディスク構造（４１）及び電機の外層ディスク構造（４３）に電磁カップリング効果を行う電磁カップリング効果の面に向き、
上記１項、２項、３項及び４項の電磁カップリング効果の面に通電巻線（１００）によって励磁される個別磁極（１０１）を設置し、個別磁極（１０１）の磁極磁路の中間に永久磁石の磁極（１０３）を挟み、或いは、個別磁極（１０１）と磁路部材（１０２）との間に励磁状態になっている永久磁石の磁極（１０３）を挟み、更に通電巻線により励磁される磁極（１０１）と磁路部材（１０２）との間に励磁状態になっている永久磁石の磁極（１０３）を挟む同軸三層式ディスク電機であることを特徴とする請求項１記載の通電巻線により励磁される磁極によって永久磁石の磁極を挟む電機。
【請求項１４】
電機の内層構造と電機の中層構造と電機の外層構造とが重なって同軸作動を行う同軸三層式ディスク電機を構成してもよいが、電機の内層ディスク構造（４１）と電機の中層ディスク構造（４２）と電機の外層ディスク構造（４３）とによって構成するものを含み、その特徴は、
電機の中層ディスク構造（４２）に永久磁石の磁極（１０３）を設置することにより、磁極を構成し、永久磁石の磁極（１０３）に通電励磁巻線（１００）を巻付け、永久磁石の磁極（１０３）の両端にある磁極より別々に電機の内層ディスク構造（４１）及び電機の外層ディスク構造（４３）の両側で電磁カップリング効果をインタラクトし、更に永久磁石の磁極に励磁状態になっている通電巻線（１００）を巻付ける同軸三層式ディスク電機であることを特徴とする請求項１記載の通電巻線により励磁される磁極によって永久磁石の磁極を挟む電機。
【請求項１５】
リニアの二層電機の構造によりリニアカップリングを行う二層式リニア電機を構成してもよいが、リニア電機の内層構造（５１）とリニア電機の外層構造（５２）によって構成するものを含み、その特徴は、
リニア電機の内層構造（５１）はリニア電機の外層構造（５２）の電磁カップリング効果の面に向き、通電巻線の励磁型個別磁極（１０１）の磁極磁路の中間に永久磁石の磁極（１０３）を挟み、或いは、個別磁極（１０１）と磁路部材（１０２）との間に励磁状態になっている永久磁石の磁極（１０３）を挟むことにより、リニア電機の外層構造（５２）と電磁効果をインタラクトし、或いは、その中にあるリニア電機の外層構造（５２）はリニア電機の内層構造（５１）の電磁カップリング効果の面に向き、通電巻線の励磁型個別磁極（１０１）の磁極磁路の中間に永久磁石の磁極（１０３）を挟み、或いは、個別磁極（１０１）と磁路部材（１０２）との間に励磁状態になっている永久磁石の磁極（１０３）を挟み、リニア電機の内層構造（５１）と電磁効果をインタラクトすることに供し、更に通電巻線を構成することによって、励磁される磁極（１０１）と磁路部材（１０２）との間に励磁状態になっている永久磁石の磁極（１０３）の二層式リニア電機を挟み、更に通電巻線を構成することによって、励磁される磁極（１０１）と磁路部材（１０２）との間に励磁状態になっている永久磁石の磁極（１０３）を挟む二層式リニア電機であることを特徴とする請求項１記載の通電巻線により励磁される磁極によって永久磁石の磁極を挟む電機。
【請求項１６】
リニア電機の内層構造と電機の中層構造と電機の外層構造とよりリニアカップリングを行う三層式リニア電機を構成してもよいが、リニア電機の内層構造（６１）とリニア電機の中層構造（６２）とリニア電機の外層構造（６３）とによって構成するものを含み、その特徴は、
１．リニア電機の内層構造（６１）はリニア電機の中層構造（６２）の電磁カップリング効果の面に向き、或いは、
２．リニア電機の中層構造（６２）はリニア電機の内層構造（６１）の電磁カップリング効果の面に向き、或いは、
３．リニア電機の外層構造（６３）はリニア電機の中層構造（６２）の電磁カップリング効果の面に向き、或いは、
４．リニア電機の中層構造（６２）はリニア電機の外層構造（６３）の電磁カップリング効果の面に向き、
上記１項、２項、３項及び４項の電磁カップリング効果の面に通電巻線（１００）により励磁される個別磁極（１０１）を設置し、個別磁極（１０１）の磁極磁路の中間に永久磁石の磁極（１０３）を挟み、或いは、個別磁極（１０１）と磁路部材（１０２）との間に励磁状態になっている永久磁石の磁極（１０３）を挟み、更に通電巻線により励磁される磁極（１０１）と磁路部材（１０２）との間に励磁状態になっている永久磁石の磁極（１０３）を挟む三層式リニア電機であることを特徴とする請求項１記載の通電巻線により励磁される磁極によって永久磁石の磁極を挟む電機。
【請求項１７】
リニア電機の内層構造と電機の中層構造と電機の外層構造とよりリニアカップリングを行う三層式リニア電機を構成してもよいが、リニア電機の内層構造（６１）とリニア電機の中層構造（６２）とリニア電機の外層構造（６３）とによって構成するものを含み、その特徴は、
１．リニア電機の中層構造（６２）はリニア電機の外層構造（６３）の電磁カップリング効果の面に向き、及びリニア電機の内層構造（６１）はリニア電機の中層構造（６２）の電磁カップリング効果の面に向き、或いは、
２．リニア電機の外層構造（６３）はリニア電機の中層構造（６２）の電磁カップリング効果の面に向き、及びリニア電機の中層構造（６２）はリニア電機の内層構造（６１）の電磁カップリング効果の面に向き、或いは、
３．リニア電機の外層構造（６３）はリニア電機の中層構造（６２）の電磁カップリング効果の面に向き、及びリニア電機の内層構造（６１）はリニア電機の中層構造（６２）の電磁カップリング効果の面に向き、或いは、
４．リニア電機の中層構造（６２）の両側はリニア電機の外層構造（６３）及びリニア電機の内層構造（６１）と電磁カップリング効果を行う電磁カップリング効果の面に向き、
上記１項、２項、３項及び４項の電磁カップリング効果の面に通電巻線（１００）によって励磁される個別磁極（１０１）を設置し、個別磁極（１０１）の磁極磁路の中間に永久磁石の磁極（１０３）を挟み、或いは、個別磁極（１０１）と磁路部材（１０２）との中間に励磁状態になっている永久磁石の磁極（１０３）を挟み、更に通電巻線により励磁される磁極（１０１）と磁路部材（１０２）との間に励磁状態になっている永久磁石の磁極（１０３）を挟む三層式リニア電機であることを特徴とする請求項１記載の通電巻線により励磁される磁極によって永久磁石の磁極を挟む電機。
【請求項１８】
リニア電機の内層構造と電機の中層構造と電機の外層構造とよりリニアカップリングを行う三層式リニア電機を構成してもよいが、リニア電機の内層構造（６１）とリニア電機の中層構造（６２）とリニア電機の外層構造（６３）とによって構成するものを含み、その特徴は、
リニア電機の中層構造（６２）に永久磁石の磁極（１０３）を設置することにより、磁極を構成し、永久磁石の磁極（１０３）に通電励磁巻線（１００）を巻付け、永久磁石の磁極（１０３）の両端にある磁極より別々にリニア電機の外層構造（６３）及びリニア電機の内層構造（６１）の両側で電磁カップリング効果をインタラクトし、更に永久磁石の磁極を巻付ける励磁状態になっている巻線がある三層式リニア電機であることを特徴とする請求項１記載の通電巻線により励磁される磁極によって永久磁石の磁極を挟む電機。
【請求項１９】
永久磁石の磁極（１０３）と通電励磁巻線（１００）の設置位置は、三層式同軸リング状電機構造体、三層式同軸ディスク電機構造体、三層式リニア電機構造体、その他三ピースの電機構造体と電磁効果をインタラクトする中間電機構造体に設置することを含み、中間電機構造体は二個のそれと電磁効果をインタラクトする電機構造体の間に設置し、その特徴は、
永久磁石の磁極（１０３）及び通電励磁巻線（１００）の設置に供する中間電機構造体は電機の静止部或いは導電ブラシ、導電リング、導電片を選択し、電機の可動部として配置することを特徴とする請求項１記載の通電巻線により励磁される磁極によって永久磁石の磁極を挟む電機。
【請求項２０】
個別磁極（１０１）に設置する通電巻線（１００）の励磁電気エネルギーの入力方式は、下記を含み、
１．通電巻線の励磁型個別磁極の電機パーツが可動部である場合は、導電リングと導電ブラシを通して励磁電気エネルギーを入力してよく、或いは、
２．通電巻線の励磁型個別磁極の電機パーツが静止部である場合は、励磁巻線に対して直接送電することを特徴とする請求項１記載の通電巻線により励磁される磁極によって永久磁石の磁極を挟む電機。
【請求項２１】
二個の電磁効果をインタラクトする電機パーツを持つシリンダー形電機、二層式ディスク電機、二層式リニア電機の中で発電機機能、電動機機能、発電機兼電動機機能、電磁効果を行う渦巻きカップリング伝動機能、電磁効果を行う渦巻き制動機能を形成する二個のインタラクトする電機パーツへの応用を含み、その作動形態は下記を含み、
１．一個の電機パーツを電機の静止部とし、もう一個の電機パーツを電機の可動部とし、或いは、
２．二個の電機パーツを全て電機の可動部とすることを特徴とする請求項１記載の通電巻線により励磁される磁極によって永久磁石の磁極を挟む電機。
【請求項２２】
三個の電磁効果をインタラクトする電機パーツを持つ同軸三リング電機、同軸三層式ディスク電機、三層式リニア電機、その他三ピースの電機構造体より電磁効果をインタラクトする電機の構造の中で発電機機能、電動機機能、発電機兼電動機機能、電磁効果を行う渦巻きカップリング伝動機能、電磁効果を行う渦巻き制動機能を形成する三個のインタラクトする電機構造体への応用を含み、その構成機能は下記を含み、
１．一個の電磁パーツを電機の静止部とし、もう一個の電機パーツを電機の可動部とし、或いは、
２．二個の電磁パーツを電機の静止部とし、残りの一個の電磁パーツを電機の可動部とし、或いは、
３．三個の電磁パーツを全て電機の可動部とすることを特徴とする請求項１記載の通電巻線により励磁される磁極によって永久磁石の磁極を挟む電機。
【請求項２３】
通電巻線の励磁型個別磁極に永久磁石の磁極パーツを挟み、及び電磁カップリング効果をインタラクトするその他電機パーツを設置し、電機の構造及び巻線の選択及び配置方式は電機全体の属性に従って入力する電気エネルギーの性質、制御機能、制御様式及び出力性能のニーズに従って選定することを特徴とする請求項１記載の通電巻線により励磁される磁極によって永久磁石の磁極を挟む電機。
【請求項２４】
電磁効果をインタラクトする特性の選択及び取り付けた磁極極数の選択に従って構成する電機全体は、直流や交流電気エネルギーで作動するロータリー電機やリニア電機を始め、ローター式ブラシ電機、ブラシレス電機、リング電機、シンクロ電機、アシンクロナス電機、正回転電機、電機の中間構造の回転式電機、逆回転電機、ダブルアクション電機、トリプルアクション電機、多層式電機、多リング電機、リニア電機、ブラシレス直流電機、インバーター電機、発電機機能、発電機、電動機、発電機兼電動機機能電機、電磁効果を行う渦巻きカップリング伝動装置、電磁効果を行う渦巻き制動装置等の電機装置への作動を含むことを特徴とする請求項１記載の通電巻線により励磁される磁極によって永久磁石の磁極を挟む電機。
【発明の詳細な説明】
【技術分野】
【０００１】
本発明は、通電巻線により励磁される磁極によって永久磁石の磁極を挟む電機を示し、今までの各種電機によく設置されている通電巻線により励磁される個別磁極の磁極磁路の中間に永久磁石の磁極を挟み、或いは、個別磁極と磁路部材との間に永久磁石の磁極を挟む。或いは、設置する通電巻線により励磁される個別磁極は、別の異極性の通電巻線に励磁される個別磁極の間に二個の磁極磁路を挟む永久磁石の磁極である。
【背景技術】
【０００２】
伝統的な直流や交流ロータリー電機或いはリニア電機は、ローター式ブラシ電機、ブラシレス電機、リングブラシ電機、シンクロ電機、アシンクロナス電機、正回転電機、中間電磁構造回転式電機、逆回転電機、ダブルアクション電機、トリプルアクション電機、多層式電機、多リング電機、リニア電機、ブラシレス直流電機、インバーター電機、発電機、電動機、発電機兼電動機機能電機、電磁効果を行う渦巻きカップリング伝動装置、電磁効果を行う渦巻き制動装置等の電機装置には全て磁極構造が設けられ、電磁効果を行うものである。
【０００３】
よく使われる磁極構造の構成方式は、下記を含む。
永久磁石の磁極構造である。
直流或いは交流電気エネルギーの通電巻線の励磁型個別磁極構造である。
通電巻線の励磁型個別磁極の極面が励磁或いは減磁する永久磁石の磁極を取り付ける。
図１は伝統的な通電巻線の励磁型個別磁極の極面に励磁或いは減磁する永久磁石の磁極を取り付ける構造の模式図である。その中で通電巻線１００の励磁型磁極１０１の表面に励磁状態になっている永久磁石の磁極１０３を設置する。その利点は励磁電流が減り、欠点は電機作動中に、逆方向励磁により磁力が弱くなり易いことである。この欠点は永久磁石の磁極構造にも存在する。
【発明の概要】
【発明が解決しようとする課題】
【０００４】
本発明に通電巻線により励磁される磁極によって永久磁石の磁極を挟む電機を示し、今までの各種電機によく設置されている通電巻線により励磁される個別磁極の磁極磁路の中間に永久磁石の磁極１０３を挟み、或いは、個別磁極と磁路部材との間に永久磁石の磁極を挟む。或いは、設置する通電巻線により励磁される個別磁極は、別の異極性の通電巻線に励磁される個別磁極との間に永久磁石の磁極を挟む。
本発明の通電巻線により励磁される磁極によって永久磁石の磁極を挟む電機は、通電巻線の励磁型個別磁極によって永久磁石の磁極を挟む革新的な設計によって、永久磁石の磁極が振動により脱落することが避けられ、電機作動中に、逆方向励磁により磁力が弱くなることが避けられる。
【課題を解決するための手段】
【０００５】
本発明は、通電巻線により励磁される磁極によって永久磁石の磁極を挟む電機であって、通電巻線の励磁型個別磁極によって永久磁石の磁極を挟む革新的な設計によって、永久磁石の磁極が振動により脱落することが避けられ、また、電機作動中に、逆方向励磁により磁力が弱くなることも避けられる。
【図面の簡単な説明】
【０００６】
【図１】伝統方式の電機の通電巻線の励磁型個別磁極の極面に励磁或いは減磁する永久磁石の磁極を設ける構造の模式図である。
【図２】本発明の一実施形態による通電巻線により励磁される磁極によって永久磁石の磁極を挟む電機の通電巻線の励磁型個別磁極と磁路部材との間へ応用し、通電巻線の励磁型個別磁極を励磁させる永久磁石の磁極を挟む構造を示す模式図である。
【図３】本発明の一実施形態による通電巻線により励磁される磁極によって永久磁石の磁極を挟む電機の通電巻線の励磁型個別磁極と磁路部材との間の通電巻線の励磁型個別磁極に励磁、減磁の永久磁石の磁極を挟む構造を示す模式図である。
【図４】本発明の一実施形態による通電巻線により励磁される磁極によって永久磁石の磁極を挟む電機の磁路部材の中間に磁路部材の両端に対して異極性の通電巻線の励磁型個別磁極が励磁状態になっている永久磁石の磁極を挟む構造を示す模式図である。
【図５】本発明の一実施形態による通電巻線により励磁される磁極によって永久磁石の磁極を挟む電機の電機及び発電機機能の一つの作動実施形態への応用構造を示す模式図である。
【図６】本発明の一実施形態による通電巻線により励磁される磁極によって永久磁石の磁極を挟む電機のシリンダー電機の機械外殻、ベアリング、ファスナー、クーリングブレード、選択設置した導電装置の本体構造以外の外形への応用構造を示す分解斜視図である。
【図７】本発明の一実施形態による通電巻線により励磁される磁極によって永久磁石の磁極を挟む電機の同軸三リング電機の機械外殻、ベアリング、ファスナー、クーリングブレード、選択設置した導電装置の本体構造以外の外形への応用構造を示す分解斜視図である。
【図８】本発明の一実施形態による通電巻線により励磁される磁極によって永久磁石の磁極を挟む電機の同軸二層式ディスク電機の機械外殻、ベアリング、ファスナー、クーリングブレード、選択設置した導電装置の本体構造以外の外形への応用構造を示す分解斜視図である。
【図９】本発明の一実施形態による通電巻線により励磁される磁極によって永久磁石の磁極を挟む電機の同軸三層式ディスク電機の機械外殻、ベアリング、ファスナー、クーリングブレード、選択設置した導電装置の本体構造以外の外形への応用構造を示す分解斜視図である。
【図１０】本発明の一実施形態による通電巻線により励磁される磁極によって永久磁石の磁極を挟む電機の二層式リニア電機の機械外殻、ベアリング、ファスナー、クーリングブレード、選択設置した導電装置の本体構造以外の外形への応用構造を示す分解斜視図である。
【図１１】本発明の一実施形態による通電巻線により励磁される磁極によって永久磁石の磁極を挟む電機の三層式リニア電機の機械外殻、ベアリング、ファスナー、クーリングブレード、選択設置した導電装置の本体構造以外の外形への応用構造を示す分解斜視図である。
【図１２】本発明の一実施形態による通電巻線により励磁される磁極によって永久磁石の磁極を挟む電機のシリンダー電機の構造へ応用し、通電巻線の励磁型個別磁極と磁路部材との間に励磁状態になっている永久磁石の磁極を挟む構造を示す模式図である。
【図１３】本発明の一実施形態による通電巻線により励磁される磁極によって永久磁石の磁極を挟む電機のシリンダー電機の構造へ応用し、通電巻線の励磁型個別磁極と磁路部材との間に励磁状態になっている永久磁石の磁極を挟む構造を示す模式図である。
【図１４】本発明の一実施形態による通電巻線により励磁される磁極によって永久磁石の磁極を挟む電機の同軸三リング式電機の構造へ応用し、通電巻線の励磁型個別磁極と磁路部材との間に励磁状態になっている永久磁石の磁極を挟む構造を示す模式図である。
【図１５】本発明の一実施形態による通電巻線により励磁される磁極によって永久磁石の磁極を挟む電機の同軸三リング式電機の構造へ応用し、通電巻線の励磁型個別磁極と磁路部材との間に励磁状態になっている永久磁石の磁極を挟む構造を示す模式図である。
【図１６】本発明の一実施形態による通電巻線により励磁される磁極によって永久磁石の磁極を挟む電機の同軸三リング式電機の構造へ応用し、通電巻線の励磁型個別磁極と磁路部材との間に励磁状態になっている永久磁石の磁極を挟む構造を示す模式図である。
【図１７】本発明の一実施形態による通電巻線により励磁される磁極によって永久磁石の磁極を挟む電機の同軸三リング式電機の構造へ応用し、通電巻線の励磁型個別磁極と磁路部材との間に励磁状態になっている永久磁石の磁極を挟む構造を示す模式図である。
【図１８】本発明の一実施形態による通電巻線により励磁される磁極によって永久磁石の磁極を挟む電機の同軸三リング式電機の構造へ応用し、通電巻線の励磁型個別磁極と磁路部材との間に励磁状態になっている永久磁石の磁極を挟む構造を示す模式図。
【図１９】本発明の一実施形態による通電巻線により励磁される磁極によって永久磁石の磁極を挟む電機の同軸三リング式電機の構造へ応用し、通電巻線の励磁型個別磁極と磁路部材との間に励磁状態になっている永久磁石の磁極を挟む構造を示す模式図である。
【図２０】本発明の一実施形態による通電巻線により励磁される磁極によって永久磁石の磁極を挟む電機の同軸三リング式電機の構造へ応用し、通電巻線の励磁型個別磁極と磁路部材との間に励磁状態になっている永久磁石の磁極を挟む構造を示す模式図である。
【図２１】本発明の一実施形態による通電巻線により励磁される磁極によって永久磁石の磁極を挟む電機の同軸三リング式電機の構造へ応用し、通電巻線の励磁型個別磁極と磁路部材との間に励磁状態になっている永久磁石の磁極を挟む構造を示す模式図である。
【図２２】本発明の一実施形態による通電巻線により励磁される磁極によって永久磁石の磁極を挟む電機の同軸三リング式電機の構造へ応用し、永久磁石の磁極に励磁状態になっている通電励磁巻線を巻付ける構造を示す模式図である。
【図２３】本発明の一実施形態による通電巻線により励磁される磁極によって永久磁石の磁極を挟む電機の二層式ディスク電機の構造へ応用し、通電巻線の励磁型個別磁極と磁路部材との間に励磁状態になっている永久磁石の磁極を挟む構造を示す模式図である。
【図２４】本発明の一実施形態による通電巻線により励磁される磁極によって永久磁石の磁極を挟む電機の同軸三層式ディスク電機の構造へ応用し、通電巻線の励磁型個別磁極と磁路部材との間に励磁状態になっている永久磁石の磁極を挟む構造を示す模式図である。
【図２５】本発明の一実施形態による通電巻線により励磁される磁極によって永久磁石の磁極を挟む電機の同軸三層式ディスク電機の構造へ応用し、通電巻線の励磁型個別磁極と磁路部材との間に励磁状態になっている永久磁石の磁極を挟む構造を示す模式図である。
【図２６】本発明の一実施形態による通電巻線により励磁される磁極によって永久磁石の磁極を挟む電機の同軸三層式ディスク電機の構造へ応用し、通電巻線の励磁型個別磁極と磁路部材との間に励磁状態になっている永久磁石の磁極を挟む構造を示す模式図である。
【図２７】本発明の一実施形態による通電巻線により励磁される磁極によって永久磁石の磁極を挟む電機の同軸三層式ディスク電機の構造へ応用し、通電巻線の励磁型個別磁極と磁路部材との間に励磁状態になっている永久磁石の磁極を挟む構造を示す模式図である。
【図２８】本発明の一実施形態による通電巻線により励磁される磁極によって永久磁石の磁極を挟む電機の同軸三層式ディスク電機の構造へ応用し、通電巻線の励磁型個別磁極と磁路部材との間に励磁状態になっている永久磁石の磁極を挟む構造を示す模式図である。
【図２９】本発明の一実施形態による通電巻線により励磁される磁極によって永久磁石の磁極を挟む電機の同軸三層式ディスク電機の構造へ応用し、通電巻線の励磁型個別磁極と磁路部材との間に励磁状態になっている永久磁石の磁極を挟む構造を示す模式図である。
【図３０】本発明の一実施形態による通電巻線により励磁される磁極によって永久磁石の磁極を挟む電機の同軸三層式ディスク電機の構造へ応用し、通電巻線の励磁型個別磁極と磁路部材との間に励磁状態になっている永久磁石の磁極を挟み取り付ける構造を示す模式図である。
【図３１】本発明の一実施形態による通電巻線により励磁される磁極によって永久磁石の磁極を挟む電機の同軸三層式ディスク電機の構造へ応用し、通電巻線の励磁型個別磁極と磁路部材との間に励磁状態になっている永久磁石の磁極を挟む構造を示す模式図である。
【図３２】本発明の一実施形態による通電巻線により励磁される磁極によって永久磁石の磁極を挟む電機の同軸三層式ディスク電機の構造へ応用し、永久磁石の磁極に励磁状態になっている通電励磁巻線を巻付ける構造を示す模式図である。
【図３３】本発明の一実施形態による通電巻線により励磁される磁極によって永久磁石の磁極を挟む電機の二層式リニア電機の構造へ応用し、通電巻線の励磁型個別磁極と磁路との間に励磁状態になっている永久磁石の磁極を挟む二層式リニア電機の構造を示す模式図である。
【図３４】本発明の一実施形態による通電巻線により励磁される磁極によって永久磁石の磁極を挟む電機の三層式リニア電機の構造へ応用し、通電巻線の励磁型個別磁極と磁路との間に励磁状態になっている永久磁石の磁極を挟む三層式リニア電機の構造を示す模式図である。
【図３５】本発明の一実施形態による通電巻線により励磁される磁極によって永久磁石の磁極を挟む電機の三層式リニア電機の構造へ応用し、通電巻線の励磁型個別磁極と磁路部材との間に励磁状態になっている永久磁石の磁極を挟む構造を示す模式図である。
【図３６】本発明の一実施形態による通電巻線により励磁される磁極によって永久磁石の磁極を挟む電機の三層式リニア電機の構造へ応用し、通電巻線の励磁型個別磁極と磁路部材との間に励磁状態になっている永久磁石の磁極を挟む三層式リニア電機の構造を示す模式図である。
【図３７】本発明の一実施形態による通電巻線により励磁される磁極によって永久磁石の磁極を挟む電機の三層式リニア電機の構造へ応用し、通電巻線の励磁型個別磁極と磁路部材との間に励磁状態になっている永久磁石の磁極を挟む構造を示す模式図である。
【図３８】本発明の一実施形態による通電巻線により励磁される磁極によって永久磁石の磁極を挟む電機の三層式リニア電機の構造へ応用し、通電巻線の励磁型個別磁極と磁路部材の中間に励磁状態になっている永久磁石の磁極を挟む構造を示す模式図である。
【図３９】本発明の一実施形態による通電巻線により励磁される磁極によって永久磁石の磁極を挟む電機の三層式リニア電機の構造へ応用し、通電巻線の励磁型個別磁極と磁路部材の中間に励磁状態になっている永久磁石の磁極を挟む構造を示す模式図である。
【図４０】本発明の一実施形態による通電巻線により励磁される磁極によって永久磁石の磁極を挟む電機の三層式リニア電機の構造へ応用し、通電巻線の励磁型個別磁極と磁路部材との間に励磁状態になっている永久磁石の磁極を挟む構造を示す模式図である。
【図４１】本発明の一実施形態による通電巻線により励磁される磁極によって永久磁石の磁極を挟む電機の三層式リニア電機の構造へ応用し、通電巻線の励磁型個別磁極と磁路部材との間に励磁状態になっている永久磁石の磁極を挟む構造を示す模式図である。
【図４２】本発明の一実施形態による通電巻線により励磁される磁極によって永久磁石の磁極を挟む電機の三層式リニア電機の構造へ応用し、永久磁石の磁極に励磁状態になっている通電励磁巻線を巻付ける構造を示す模式図である。
【図４３】本発明の一実施形態による通電巻線により励磁される磁極によって永久磁石の磁極を挟む電機の永久磁石の磁極へ応用した構造を示す模式図である。
【発明を実施するための形態】
【０００７】
本発明の一実施形態による通電巻線により励磁される磁極によって永久磁石の磁極を挟む電機は、今までの各種電機によく使われる通電巻線１００によって励磁される磁極１０１と磁路部材１０２との間に永久磁石の磁極を挟むことを特徴とする。磁極１０１の磁路部材１０２及び通電巻線の磁極１０１は、シリコン鋼片または鋼或いは鉄等のよく使われる良好な磁気伝達材料を使用し、一体構成或いは複数の材質が重なり合って、或いは、磁気伝達性材料の粉末冶金より構成するものである。磁極１０１の極面は電磁効果をインタラクトする別の電機構造体と向かい合い、磁極１０１の極面はニーズに従って凹や凸弧面状或いは平面状形を呈し、また、更なるニーズに従って溝或いは凹凸或いは特定の幾何形状を持つ極面を選択することも可能である。
【０００８】
その設置方式は、下記を含む。
１．各種電機によく使われる通電巻線１００によって励磁される個別磁極１０１と磁路部材１０２との間に永久磁石の磁極１０３を挟み、通電巻線１００の励磁極性と永久磁石の磁極１０３の極性関係は励磁或いは減磁する電機特性である。図２は本実施形態を通電巻線の励磁型個別磁極と磁路部材との間に応用し、通電巻線の励磁型個別磁極を挟み、励磁状態になる永久磁石の磁極の構造の模式図を示す。
【０００９】
２．永久磁石の磁極１０３の設置方式は、磁極１０１に設置する励磁される通電巻線１００の中間に永久磁石の磁極１０３を挟み、通電巻線１００の励磁極性と永久磁石の磁極１０３の極性関係は励磁或いは減磁する電機特性である。図３は本実施形態を通電巻線の励磁型個別磁極と磁路部材との間に応用し、通電巻線の励磁型個別磁極を挟み、減磁状態になる永久磁石の磁極の構造の模式図を示す。
【００１０】
３．永久磁石の磁極１０３の設置方式は、通電巻線１００によって励磁される異極性である個別磁極１０１の磁路部材１０２の中間に永久磁石の磁極１０３を固定設置或いは挟んで取り付ける。通電巻線１００の励磁極性と永久磁石の磁極１０３の極性関係は、励磁或いは減磁する電機特性である。図４は本実施形態を応用し、中間磁路の両端に対して異極性の通電巻線の励磁型個別磁極が励磁状態になっている永久磁石の磁極を挟む構造の模式図を示す。
【００１１】
本実施形態の通電巻線により励磁される磁極によって永久磁石の磁極を挟む電機は、電機子３を持つローター式整流子或いは複巻電動機へ応用し、電機（ＭＯＴＯＲ）或いは発電機（ｇｅｎｅｒａｔｏｒ）として機能を作動するときに、通電巻線１００と電機子３は直列になるので、通電巻線１００と永久磁石の磁極１０３との間にある極性を操作することにより、対応する電機特性は下記の通りになる。
【００１２】
１．同回転方向作動時、電機は蓄積励磁電機及び蓄積励磁発電機の電機特性で作動する。
２．或いは、同回転方向作動時、電機は蓄積励磁電機及び差異励磁発電機の電機特性で作動する。
３．或いは、同回転方向作動時、電機は差異励磁電機及び蓄積励磁発電機の電機特性で作動する。
４．或いは、同回転方向作動時、電機は差異励磁電機及び差異励磁発電機の電機特性で作動する。
５．或いは、異なる回転方向作動時、電機は蓄積励磁電機及び蓄積励磁発電機の電機特性で作動する。
６．或いは、異なる回転方向作動時、電機は蓄積励磁電機及び差異励磁発電機の電機特性で作動する。
７．或いは、異なる回転方向作動時、電機は差異励磁電機及び蓄積励磁発電機の電機特性で作動する。
８．或いは、同回転方向作動時、電機は差異励磁電機及び差異励磁発電機の電機特性で作動する。
【００１３】
ただし電機の通電巻線１００と永久磁石の磁極１０３の極性関係は、下記の一種或いは一種以上の操作制御方式により操作制御する。操作制御方式は、下記を含む。
１．通電巻線１００の電流方向を通して通電巻線１００と永久磁石の磁極１０３の極性関係を励磁或いは減磁する極性関係に変更する。
２．直流電源の正負極性を通して通電巻線１００と永久磁石の磁極１０３の極性関係を励磁或いは減磁する極性関係に変更する。
【００１４】
３．発電機或いは電機の両方或いはその中の一方の回転方向を通して通電巻線１００と磁極１０１の極性関係を励磁或いは減磁する電機特性に変更する。
その例は、下記の通りになる。
本実施形態を応用し、電機及び発電機を作動する例の一つを図５のように示す。電機作動時、図中の矢印は電流方向を示す。図５に示すように、実線は電機作動時の電流の流れる方向であって、電流が通電巻線１００を通過するときに、励磁極性と永久磁石の磁極１０３は同極性の励磁を形成し、このときの電機は励磁状態になる電機特性で作動する。
【００１５】
電機の回転方向が不変で、発電機として作動するときに、図中の点線の矢印は出力の電流方向であって、出力電流が通電巻線１００を通過する時、励磁極性と永久磁石の磁極１０３は異極性の励磁を形成し、このときの電機は励磁状態になる発電機特性で作動する。残りの各種の通電巻線１００と永久磁石の磁極１０３との間にある極性関係及び対応する電機特性は、類推できるので省略する。
【００１６】
本実施形態の通電巻線により励磁される磁極によって永久磁石の磁極を挟む電機の永久磁石の磁極１０３を挟む方式の例を下記に挙げる。ファスナーで固定或いは挟み固定、ねじや袋ナットで固定、リベットで固定、ピンと穴構造で固定、ぴったりした寸法及び選定した幾何形状に合わせて嵌め込み固定、磁路構造で挟み圧迫、機械外殻で挟み圧迫、専用部材で挟み圧迫、接着材料で接着する等の方式で永久磁石の磁極１０３を挟み、或いは、その他永久磁石の磁極１０３等によく使われる固定方式を含む。
【００１７】
上記の四種類の構造形態は、直流や交流電気エネルギーのロータリー電機やリニア電機を含み、また、ローター式ブラシ電機、ブラシレス電機、リング電機、シンクロ電機、アシンクロナス電機、正回転電機、逆回転電機、電機の中間構造の回転式電機、ダブルアクション電機、トリプルアクション電機、多層式電機、多リング電機、リニア電機、ブラシレス直流電機、インバーター電機、発電機、電動機、発電機兼電動機機能電機、電磁効果を行う渦巻きカップリング伝動装置、電磁効果を行う渦巻き制動装置等の電機装置の機能作動を含む。
【００１８】
本実施形態の通電巻線により励磁される磁極によって永久磁石の磁極を挟む電機で、磁路部材１０２と共同して永久磁石の磁極１０３を挟み固定する磁極１０１及び磁路部材１０２は、シリコン鋼片または鋼或いは鉄等のよく使われる良好な磁気伝達材料を使用し、一体構成或いは複数の材質が重なり合って、或いは、磁気伝達性材料の粉末冶金より構成するものである。磁極１０１の極面は、電磁効果をインタラクトする別の電機構造体と向かい合い、磁極１０１の極面はニーズによって凹や凸弧面状或いは平面状形を呈し、また、更なるニーズにより溝或いは凹凸或いは特定の幾何形状を持つ極面を選択することも可能である。
【００１９】
本実施形態の通電巻線により励磁される磁極によって永久磁石の磁極を挟む電機は、通電巻線の励磁型個別磁極によって永久磁石の磁極を挟む革新的な設計によって、永久磁石の磁極は振動により脱落することが避けられ、電機作動中に、逆方向励磁により磁力が弱くなることが避けられる。
本実施形態の通電巻線により励磁される磁極によって永久磁石の磁極を挟む電機は、下記の電機型式への応用を含む。
【００２０】
１．電機の内層構造及び電機の外層構造を持つシリンダー電機を構成するが、電機の内層構造１１及び電機の外層構造１２より構成するものを含む。図６は本実施形態を機械外殻、ベアリング、ファスナー、クーリングブレード、選択設置する導電装置の本体構造以外の外形へ応用した構造の分解斜視図を示す。
２．電機の内リング構造、電機の中にあるリング構造、電機の外リング構造のセットで同軸作動を行う同軸三リング電機を構成するが、電機の内リング構造２１、電機の中にあるリング構造２２、電機の外リング構造２３より構成するものを含む。図７は本実施形態を同軸三リング電機の機械外殻、ベアリング、ファスナー、クーリングブレード、選択設置する導電装置の本体構造以外の外形へ応用した構造の分解斜視図を示す。
【００２１】
３．二層構造が重なって同軸作動を行う同軸二層式ディスク電機を構成するが、電機の内層ディスク構造３１及び電機の外層ディスク構造３２より構成するものを含む。図８は本実施形態を同軸二層式ディスク電機の機械外殻、ベアリング、ファスナー、クーリングブレード、選択設置する導電装置の本体構造以外の外形へ応用した構造の分解斜視図を示す。
４．電機の内層構造、電機の中層構造、電機の外層構造が重なって同軸作動を行う同軸三層式ディスク電機を構成するが、ディスク電機の内層構造４１、ディスク電機の中層構造４２、ディスク電機の外層構造４３より構成するものを含む。図９は本実施形態を同軸三層式ディスク電機の機械外殻、ベアリング、ファスナー、クーリングブレード、選択設置する導電装置の本体構造以外の外形へ応用した構造の分解斜視図を示す。
【００２２】
５．リニア電機の二層構造によりリニアカップリングを行う二層式リニア電機を構成するが、リニア電機の内層構造５１、リニア電機の外層構造５２より構成するものを含む。図１０は本実施形態を二層式リニア電機の機械外殻、ベアリング、ファスナー、クーリングブレード、選択設置する導電装置の本体構造以外の外形へ応用した構造の分解斜視図を示す。
６．リニア電機の内層構造、電機の中層構造、電機の外層構造によりリニアカップリングを行う三層式リニア電機を構成するが、リニア電機の内層構造６１、リニア電機の中層構造６２、リニア電機の外層構造６３より構成するものを含む。図１１は本実施形態を三層式リニア電機の機械外殻、ベアリング、ファスナー、クーリングブレード、選択設置する導電装置の本体構造以外の外形へ応用した構造の分解斜視図を示す。
【００２３】
下記に本実施形態の各種構造形態の応用例を示す。両ピース式シリンダーディスク形、リニア電機の構造、三ピース式同軸三リング式電機、同軸三層式ディスク電機、三層式リニア電機の構造、その他両ピース式電機構造体、電磁効果をインタラクトする電機の構造、三ピース式電機の構造、電磁効果をインタラクトする電機の構造、多ピースの電機の構造より構成するものも同じ道理に従って応用できるので、省略する。
本実施形態をシリンダー電機の構造へ応用する構造の模式図を図１２のように示す。その中にある電機の内層構造と電磁カップリング効果を行う電機の外層構造は電機の内層構造の電磁カップリング効果の面に向き、通電巻線の励磁型個別磁極と磁路部材との間に励磁状態になっている永久磁石の磁極を挟む。
【００２４】
シリンダー電機の構造を図１２のように示す。その中にある電機の内層構造１１と電磁カップリング効果を行う電機の外層構造１２は、電機の内層構造１１の電磁カップリング効果の面に向く。通電巻線１００の励磁型個別磁極１０１と磁極磁路との中間に永久磁石の磁極１０３を設置し、或いは、個別磁極１０１と磁路部材１０２との間に励磁状態になっている永久磁石の磁極１０３を挟み、更に通電巻線により励磁される磁極１０１と磁路部材１０２との間に永久磁石の磁極１０３を挟むシリンダー電機である。
【００２５】
本実施形態をシリンダー電機の構造へ応用する構造の模式図を図１３のように示す。その中にある電機の外層構造と電磁カップリング効果を行う電機の内層構造は電機の外層構造の電磁カップリング効果の面に向き、通電巻線の励磁型個別磁極と磁路部材との間に励磁状態になっている永久磁石の磁極を挟む。
シリンダー電機の構造を図１３のように示す。その中にある電機の外層構造１２と電磁カップリング効果を行う電機の内層構造１１は、電機の外層構造１２の電磁カップリング効果の面に向く。通電巻線１００の励磁型個別磁極１０１と磁路部材との間に励磁状態になっている永久磁石の磁極１０３を挟み、或いは、個別磁極１０１と磁路部材１０２との間に励磁状態になっている永久磁石の磁極１０３を挟み、更に通電巻線により励磁される磁極１０１と磁路部材１０２との間に永久磁石の磁極１０３を挟むシリンダー電機である。
【００２６】
本実施形態を同軸三リング式電機の構造へ応用する構造の模式図を図１４のように示す。その中にある電機の中にあるリング構造と電磁カップリング効果を行う電機の外リング構造は電機の中にあるリング構造の電磁カップリング効果の面に向き、通電巻線の励磁型個別磁極と磁路部材との間に励磁状態になっている永久磁石の磁極を挟む。
同軸三リング式電機の構造を図１４のように示す。その中にある電機の中にあるリング構造２２と電磁カップリング効果を行う電機の外リング構造２３は、電機の中にあるリング構造２２の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟み、電機の中にあるリング構造２２と電磁効果をインタラクトする。電機の中にあるリング構造２２と電機の内リング構造２１との間にある電機の構造形態は電磁効果特性のニーズに従って選定してよいが、更に通電巻線により励磁される磁極１０１と磁路部材１０２との間に励磁状態になっている永久磁石の磁極１０３を挟む同軸三リング式電機である。
【００２７】
同軸三リング式電機の構造へ応用する構造の模式図を図１５のように示す。その中にある電機の外リング構造と電磁カップリング効果を行う電機の中にあるリング構造は電機の外層構造の電磁カップリング効果の面に向き、通電巻線の励磁型個別磁極と磁路部材との間に励磁状態になっている永久磁石の磁極を挟む。
同軸三リング式電機の構造を図１５のように示す。その中にある電機の外リング構造２３と電磁カップリング効果を行う電機の中にあるリング構造２２は、電機の外リング構造２３の電磁カップリング効果の面に向く。通電巻線の励磁型個別磁極１０１の磁極磁路の中間に挟み取り付ける永久磁石の磁極１０３、或いは個別磁極１０１と磁路部材１０２との間に励磁状態になっている永久磁石の磁極１０３を挟み、電機の外リング構造２３と電磁効果をインタラクトする。電機の中にあるリング構造２２と電機の内リング構造２１との間にある電機の構造形態は電磁効果特性のニーズに従って選定してよいが、更に通電巻線により励磁される磁極１０１と磁路部材１０２との間に励磁状態になっている永久磁石の磁極１０３を挟む同軸三リング式電機である。
【００２８】
本実施形態を同軸三リング式電機の構造へ応用する構造の模式図を図１６のように示す。その中にある電機の内リング構造と電磁カップリング効果を行う電機の中にあるリング構造は電機の内リング構造の電磁カップリング効果の面に向き、通電巻線の励磁型個別磁極と磁路部材との間に励磁状態になっている永久磁石の磁極を挟む。
同軸三リング式電機の構造を図１６のように示す。その中にある電機の内リング構造２１と電磁カップリング効果を行う電機の中にあるリング構造２２は、電機の内リング構造２１の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟み、電機の内リング構造２１と電磁効果をインタラクトする。電機の中にあるリング構造２２と電機の外リング構造２３との間にある電機の構造形態は電磁効果特性のニーズに従って選定してよいが、更に通電巻線により励磁される磁極１０１と磁路部材１０２との間に励磁状態になっている永久磁石の磁極１０３を挟む同軸三リング式電機である。
【００２９】
本実施形態を同軸三リング式電機の構造へ応用する構造の模式図を図１７のように示す。その中にある電機の内リング構造は電機の中にあるリング構造の電磁カップリング効果の面に向き、通電巻線の励磁型個別磁極と磁路部材との間に励磁状態になっている永久磁石の磁極を挟む
同軸三リング式電機の構造を図１７のように示す。その中にある電機の中にあるリング構造２２と電磁カップリング効果を行う電機の内リング構造２１は、電機の中にあるリング構造２２の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟み、電機の中にあるリング構造２２と電磁効果をインタラクトする。電機の中にあるリング構造２２と電機の外リング構造２３との間にある電機の構造形態は電磁効果特性のニーズに従って選定してよいが、更に通電巻線により励磁される磁極１０１と磁路部材１０２との間に励磁状態になっている永久磁石の磁極１０３を挟む同軸三リング式電機である。
【００３０】
本実施形態を同軸三リング式電機の構造へ応用する構造の模式図を図１８のように示す。その中にある電機の内リング構造は、電機の中にあるリング構造の電磁カップリング効果の面に向く。又電機の中にあるリング構造は、電機の外リング構造の電磁カップリング効果の面に向く。両方にある通電巻線の励磁型個別磁極と磁路部材との間に励磁状態になっている永久磁石の磁極を挟む。
【００３１】
同軸三リング式電機の構造を図１８のように示す。その中にある電機の内リング構造２１は、電機の中にあるリング構造２２の電磁カップリング効果の面に向く。又電機の中にあるリング構造２２は、電機の外リング構造２３の電磁カップリング効果の面に向く。両方にある通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。更に通電巻線により励磁される磁極１０１と磁路部材１０２との間に励磁状態になっている永久磁石の磁極１０３を挟む同軸三リング式電機である。
【００３２】
本実施形態を同軸三リング式電機の構造へ応用する構造の模式図を図１９のように示す。その中にある電機の外リング構造は、電機の中にあるリング構造の電磁カップリング効果の面に向く。又電機の中にあるリング構造は、電機の内リング構造の電磁カップリング効果の面に向く。両方にある通電巻線の励磁型個別磁極と磁路部材との間に励磁状態になっている永久磁石の磁極を挟む。
【００３３】
同軸三リング式電機の構造を図１９のように示す。その中にある電機の外リング構造２３は、電機の中にあるリング構造２２の電磁カップリング効果の面に向く。又電機の中にあるリング構造２２は、電機の内リング構造２１の電磁カップリング効果の面に向く。両方にある通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。更に通電巻線により励磁される磁極１０１と磁路部材１０２との間に励磁状態になっている永久磁石の磁極１０３を挟む同軸三リング式電機である。
【００３４】
本実施形態を同軸三リング式電機の構造へ応用する構造の模式図を図２０のように示す。その中にある電機の外リング構造は、電機の中にあるリング構造の電磁カップリング効果の面に向く。電機の内リング構造は、電機の中にあるリング構造の電磁カップリング効果の面に向く。両方にある通電巻線の励磁型個別磁極と磁路部材との間に励磁状態になっている永久磁石の磁極を挟む。
【００３５】
同軸三リング式電機の構造を図２０のように示す。その中にある電機の外リング構造２３は、電機の中にあるリング構造２２の電磁カップリング効果の面に向く。又電機の内リング構造２１は、電機の中にあるリング構造２２の電磁カップリング効果の面に向く。両方にある通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。更に通電巻線により励磁される磁極１０１と磁路部材１０２との間に励磁状態になっている永久磁石の磁極１０３を挟む同軸三リング式電機である。
【００３６】
本実施形態を同軸三リング式電機の構造へ応用する磁極構造の模式図を図２１のように示す。その中にある電機の外リング構造及び電機の内リング構造と電磁カップリング効果を行う電機の中にあるリング構造は電機の外リング構造及び電機の内リング構造の電磁カップリング効果の面に向き、通電巻線の励磁型個別磁極と磁路部材との間に励磁状態になっている永久磁石を挟む。
【００３７】
同軸三リング式電機の構造を図２１のように示す。その中にある電機の外リング構造２３及び電機の内リング構造２１と電磁カップリング効果を行う電機の中にあるリング構造２２は、電機の外リング構造２３及び電機の内リング構造２１の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。更に通電巻線により励磁される磁極１０１と磁路部材１０２との間に励磁状態になっている永久磁石の磁極１０３を挟む同軸三リング式電機である。
【００３８】
本実施形態を同軸三リング式電機の構造へ応用する構造の模式図を図２２のように示す。その中にある電機の内リング構造及び電機の外リング構造と電磁カップリング効果を行う電機の中にあるリング構造は電機の内リング構造及び電機の外リング構造と二方向カップリングを行う永久磁石の磁極より磁極を構成し、また、永久磁石の磁極に励磁状態になっている通電励磁巻線を巻付ける。
【００３９】
同軸三リング式電機の構造を図２２のように示す。その中にある電機の内リング構造２１及び電機の外リング構造２３と電磁カップリング効果を行う電機の中にあるリング構造２２により、永久磁石の磁極１０３を構成する。永久磁石の磁極１０３両端の磁極は、別々に電機の内リング構造２１及び電機の外リング構造２３の両側でカップリングを行う電磁効果をインタラクトする。また、永久磁石の磁極１０３に通電励磁巻線１００を巻付け、更に永久磁石の磁極１０３に励磁状態になっている巻線を巻付ける同軸三リング式電機である。
【００４０】
本実施形態を二層式ディスク電機の構造へ応用する構造の模式図を図２３のように示す。
その中にある電機の中層ディスク構造の電磁カップリング効果の面に設置する通電巻線の励磁型個別磁極は磁路部材との間に励磁状態になっている永久磁石の磁極を挟む。  二層式ディスク電機の構造を図２３のように示す。その中にある電機の内層ディスク構造３１は、電機の外層ディスク構造３２の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。電機の外層ディスク構造３２と電磁効果をインタラクトする。或いは、その中にある電機の外層ディスク構造３２は、電機の内層ディスク構造３１の電磁カップリング効果の面に向く。通電巻線の励磁型個別磁極１０１の磁極磁路の中間に永久磁石の磁極を挟み、或いは、個別磁極１０１と磁路部材１０２との間に励磁状態になっている永久磁石の磁極１０３を挟む。電機の内層ディスク構造３１と電磁効果をインタラクトし、更に通電巻線により励磁される磁極１０１と磁路部材１０２との間に励磁状態になっている永久磁石の磁極１０３を挟む二層式ディスク電機である。
【００４１】
本実施形態を同軸三層式ディスク電機の構造へ応用する構造の模式図を図２４のように示す。その中にある電機の中層ディスク構造は電機の中層ディスク構造の電磁カップリング効果の面に向き、通電巻線の励磁型個別磁極と磁路部材との間に励磁状態になっている永久磁石の磁極を挟む。
同軸三層式ディスク電機の構造を図２４のように示す。その中にある電機の内層ディスク構造４１は、電機の中層ディスク構造４２の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟み、電機の中層ディスク構造４２と電磁効果をインタラクトする。電機の中層ディスク構造４２と電機の外層ディスク構造４３との間にある電機の構造形態は電磁効果特性のニーズに従って選定してよいが、更に通電巻線により励磁される磁極１０１と磁路部材１０２との間に励磁状態になっている永久磁石の磁極１０３を挟む三層式ディスク電機である。
【００４２】
本実施形態を同軸三層式ディスク電機の構造へ応用する構造の模式図を図２５のように示す。その中にある電機の中層ディスク構造は電機の中層ディスク構造の電磁カップリング効果の面に向き、通電巻線の励磁型個別磁極と磁路部材との間に励磁状態になっている永久磁石の磁極を挟む。
同軸三層式ディスク電機の構造を図２５のように示す。その中にある電機の中層ディスク構造４２は、電機の内層ディスク構造４１の電磁カップリング効果の面に向く。通電巻線の励磁型個別磁極１０１の磁極磁路との中間に永久磁石の磁極１０３を挟み、或いは、個別磁極１０１と磁路部材１０２との間に励磁状態になっている永久磁石の磁極１０３を挟む。電機の内層ディスク構造４１と電磁効果をインタラクトする。電機の中層ディスク構造４２と電機の外層ディスク構造４３との間にある電機の構造形態は電磁効果特性のニーズに従って選定してよいが、更に通電巻線により励磁される磁極１０１と磁路部材１０２との間に励磁状態になっている永久磁石の磁極１０３を挟む三層式ディスク電機である。
【００４３】
本実施形態を同軸三層式ディスク電機の構造へ応用する磁極構造の模式図を図２６のように示す。その中にある電機の外層ディスク構造は電機の中層ディスク構造の電磁カップリング効果の面に向き、通電巻線の励磁型個別磁極と磁路部材との間に励磁状態になっている永久磁石を挟む。
同軸三層式ディスク電機の構造を図２６のように示す。その中にある電機の外層ディスク構造４３は、電機の中層ディスク構造４２の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。電機の中層ディスク構造４２と電磁効果をインタラクトする。電機の中層ディスク構造４２と電機の内層ディスク構造４１との間にある電機の構造形態は電磁効果特性のニーズに従って選定してよいが、更に通電巻線により励磁される磁極１０１と磁路部材１０２との間に励磁状態になっている永久磁石の磁極１０３を挟む三層式ディスク電機である。
【００４４】
本実施形態を同軸三層式ディスク電機の構造へ応用する構造の模式図を図２７のように示す。その中にある電機の中層ディスク構造は電機の外層ディスク構造の電磁カップリング効果の面に向き、通電巻線の励磁型個別磁極と磁路部材との間に励磁状態になっている永久磁石の磁極を挟む。
同軸三層式ディスク電機の構造を図２７のように示す。その中にある電機の中層ディスク構造４２は、電機の外層ディスク構造４３の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。電機の外層ディスク構造４３と電磁効果をインタラクトする。電機の中層ディスク構造４２と電機の内層ディスク構造４１との間にある電機の構造形態は電磁効果特性のニーズに従って選定してよいが、更に通電巻線により励磁される磁極１０１と磁路部材１０２との間に励磁状態になっている永久磁石の磁極１０３を挟む三層式ディスク電機である。
【００４５】
本実施形態を同軸三層式ディスク電機の構造へ応用する磁極構造の模式図を図２８のように示す。その中にある電機の中層ディスク構造は電機の中層ディスク構造の電磁カップリング効果の面に向く。又電機の中層ディスク構造は、電機の外層ディスク構造の電磁カップリング効果の面に向く。両方にある通電巻線の励磁型個別磁極と磁路部材との間に励磁状態になっている永久磁石を挟む。
【００４６】
同軸三層式ディスク電機の構造を図２８のように示す。その中にある電機の内層ディスク構造４１は、電機の中層ディスク構造４２の電磁カップリング効果の面に向く。又電機の中層ディスク構造４２は、電機の外層ディスク構造４３の電磁カップリング効果の面に向く。両方にある通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。更に通電巻線により励磁される磁極１０１と磁路部材１０２との間に励磁状態になっている永久磁石の磁極１０３を挟む三層式ディスク電機である。
【００４７】
本実施形態を同軸三層式ディスク電機の構造へ応用する構造の模式図を図２９のように示す。その中にある電機の外層ディスク構造は電機の中層ディスク構造の電磁カップリング効果の面に向く。又電機の中層ディスク構造は、電機の中層ディスク構造の電磁カップリング効果の面に向く。両方にある通電巻線の励磁型個別磁極と磁路部材との間に励磁状態になっている永久磁石の磁極を挟む。
【００４８】
同軸三層式ディスク電機の構造を図２９のように示す。その中にある電機の外層ディスク構造４３は、電機の中層ディスク構造４２の電磁カップリング効果の面に向く。又電機の中層ディスク構造４２は、電機の内層ディスク構造４１の電磁カップリング効果の面に向く。両方にある通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。更に通電巻線により励磁される磁極１０１と磁路部材１０２との間に励磁状態になっている永久磁石の磁極１０３を挟む三層式ディスク電機である。
【００４９】
本実施形態を同軸三層式ディスク電機の構造へ応用する構造の模式図を図３０のように示す。その中にある電機の中層ディスク構造及び電機の外層ディスク構造の両方は電機の中層ディスク構造と電磁カップリング効果を行う電磁カップリング効果の面に向き、通電巻線の励磁型個別磁極と磁路部材との間に励磁状態になっている永久磁石の磁極を挟む。
同軸三層式ディスク電機の構造を図３０のように示す。その中にある電機の内層ディスク構造４１及び電機の外層ディスク構造４３の両方は、電機の中層ディスク構造４２と電磁カップリング効果を行う電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟み、電機の中層ディスク構造４２と電磁効果をインタラクトする。更に通電巻線により励磁される磁極１０１と磁路部材１０２との間に励磁状態になっている永久磁石の磁極１０３を挟む三層式ディスク電機である。
【００５０】
本実施形態を同軸三層式ディスク電機の構造へ応用する構造の模式図を図３１のように示す。その中にある電機の中層ディスク構造は電機の内層ディスク構造及び電機の外層ディスク構造の電磁カップリング効果の面に向き、両側に通電巻線の励磁型個別磁極と磁路部材との間に励磁状態になっている永久磁石の磁極を挟む。
同軸三層式ディスク電機の構造を図３１のように示す。その中にある電機の中層ディスク構造４２は、電機の内層ディスク構造４１及び電機の外層ディスク構造４３の電磁カップリング効果の面に向く。両側に電磁カップリング効果の面の通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。電機の内層ディスク構造４１及び電機の外層ディスク構造４３と電磁効果をインタラクトする。更に通電巻線により励磁される磁極１０１と磁路部材１０２との間に励磁状態になっている永久磁石の磁極１０３を挟む三層式ディスク電機である。
【００５１】
本実施形態を同軸三層式ディスク電機の構造へ応用する構造の模式図を図３２のように示す。その中にある電機の中層ディスク構造及び電機の外層ディスク構造と電磁カップリング効果を行う電機の中層ディスク構造に永久磁石の磁極を設置することにより、磁極を構成し、永久磁石の磁極に励磁状態になっている通電励磁巻線を巻付ける。
同軸三層式ディスク電機の構造を図３２のように示す。その中にある電機の内層ディスク構造４１及び電機の外層ディスク構造４３と電磁カップリング効果を行う電機の中層ディスク構造４２に永久磁石の磁極１０３を設置することにより、磁極を構成する。永久磁石の磁極１０３に通電励磁巻線１００を巻付け、永久磁石の磁極１０３両端の磁極は別々に電機の内層ディスク構造４１及び電機の外層ディスク構造４３の両側でカップリングを行う電磁効果をインタラクトし、更に永久磁石の磁極に励磁状態になっている巻線を巻付ける同軸三層式ディスク電機である。
【００５２】
本実施形態を二層式リニア電機の構造へ応用する二層式リニア電機の構造の模式図を図３３のように示す。その中にあるリニア電機の内層構造は電磁カップリング効果の面に向き、通電巻線の励磁型個別磁極と磁路部材との間に励磁状態になっている永久磁石の磁極を挟む。
二層式リニア電機の構造を図３３のように示す。その中にあるリニア電機の内層構造５１は、リニア電機の外層構造５２の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。リニア電機の外層構造５２と電磁効果をインタラクトする。或いは、その中にあるリニア電機の外層構造５２は、リニア電機の内層構造５１の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。リニア電機の内層構造５１と電磁効果をインタラクトする。また、通電巻線により励磁される磁極１０１と磁路部材１０２との間に励磁状態になっている永久磁石の磁極１０３の二層式リニア電機を挟み、更に通電巻線により励磁される磁極１０１と磁路部材１０２との間に励磁状態になっている永久磁石の磁極１０３を挟む二層式リニア電機である。
【００５３】
本実施形態を三層式リニア電機の構造へ応用する三層式リニア電機の構造の模式図を図３４のように示す。その中にあるリニア電機の内層構造はリニア電機の中層構造の電磁カップリング効果の面に向き、通電巻線の励磁型個別磁極と磁路部材との間に励磁状態になっている永久磁石の磁極を挟む。
三層式リニア電機の構造を図３４のように示す。その中にあるリニア電機の内層構造６１は、リニア電機の中層構造６２の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。リニア電機の中層構造６２と電磁効果をインタラクトする。リニア電機の中層構造６２とリニア電機の外層構造６３との間にある電機の構造形態は電磁効果特性のニーズに従って選定してよいが、更に通電巻線により励磁される磁極１０１と磁路部材１０２との間に励磁状態になっている永久磁石の磁極１０３を挟む三層式リニア電機である。
【００５４】
本実施形態を三層式リニア電機の構造へ応用する構造の模式図を図３５のように示す。その中にあるリニア電機の中層構造はリニア電機の内層構造の電磁カップリング効果の面に向き、通電巻線の励磁型個別磁極と磁路部材との間に励磁状態になっている永久磁石の磁極を挟む。
三層式リニア電機の構造を図３５のように示す。その中にあるリニア電機の中層構造６２は、リニア電機の内層構造６１の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。リニア電機の内層構造６１と電磁効果をインタラクトし、リニア電機の中層構造６２とリニア電機の外層構造６３との間にある電機の構造形態は電磁効果特性のニーズに従って選定してよいが、更に通電巻線により励磁される磁極１０１と磁路部材１０２との間に励磁状態になっている永久磁石の磁極１０３を挟む三層式リニア電機である。
【００５５】
本実施形態を三層式リニア電機の構造へ応用する三層式リニア電機の構造の模式図を図３６のように示す。その中にあるリニア電機の外層構造はリニア電機の中層構造の電磁カップリング効果の面に向き、通電巻線の励磁型個別磁極と磁路部材との間に励磁状態になっている永久磁石の磁極を挟む。
三層式リニア電機の構造を図３６のように示す。その中にあるリニア電機の外層構造６３は、リニア電機の中層構造６２の電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。リニア電機の中層構造６２と電磁効果をインタラクトする。リニア電機の中層構造６２とリニア電機の内層構造６１との間にある電機の構造形態は電磁効果特性のニーズに従って選定してよいが、更に通電巻線により励磁される磁極１０１と磁路部材１０２との間に励磁状態になっている永久磁石の磁極１０３を挟み取り付ける三層式リニア電機である。
【００５６】
本実施形態を三層式リニア電機の構造へ応用する磁極構造の模式図を図３７のように示す。その中にあるリニア電機の中層構造はリニア電機の外層構造の電磁カップリング効果の面に向き、通電巻線の励磁型個別磁極と磁路部材との間に励磁状態になっている永久磁石を挟む。
三層式リニア電機の構造を図３７のように示す。その中にあるリニア電機の中層構造６２は、リニア電機の外層構造６３の電磁カップリング効果の面に向く。通電巻線の励磁型個別磁極１０１の磁極磁路の間に永久磁石の磁極１０３を挟み、或いは、個別磁極１０１と磁路部材１０２との間に励磁状態になっている永久磁石の磁極１０３を挟む。リニア電機の外層構造６３と電磁効果をインタラクトし、リニア電機の中層構造６２とリニア電機の内層構造６１との間にある電機の構造形態は電磁効果特性のニーズに従って選定してよいが、更に通電巻線により励磁される磁極１０１と磁路部材１０２との間に励磁状態になっている永久磁石の磁極１０３を挟む三層式リニア電機である。
【００５７】
本実施形態を三層式リニア電機の構造へ応用する構造の模式図を図３８のように示す。その中にあるリニア電機の中層構造は、リニア電機の外層構造の電磁カップリング効果の面に向く。又リニア電機の内層構造は、リニア電機の中層構造の電磁カップリング効果の面に向く。両方にある通電巻線の励磁型個別磁極と磁路部材との間に励磁状態になっている永久磁石の磁極を挟む。
【００５８】
三層式リニア電機の構造を図３８のように示す。その中にあるリニア電機の中層構造６２は、リニア電機の外層構造６３の電磁カップリング効果の面に向く。又リニア電機の内層構造６１は、リニア電機の中層構造６２の電磁カップリング効果の面に向く。両方にある通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。更に通電巻線により励磁される磁極１０１と磁路部材１０２との間に励磁状態になっている永久磁石の磁極１０３を挟む三層式リニア電機である。
【００５９】
本実施形態を三層式リニア電機の構造へ応用する構造の模式図を図３９のように示す。その中にあるリニア電機の中層構造はリニア電機の内層構造の電磁カップリング効果の面に向く。又リニア電機の外層構造は、リニア電機の中層構造の電磁カップリング効果の面に向く。両方にある通電巻線の励磁型個別磁極と磁路部材との中間に励磁状態になっている永久磁石の磁極を挟む。
【００６０】
三層式リニア電機の構造を図３９のように示す。その中にあるリニア電機の中層構造６２は、リニア電機の内層構造６１の電磁カップリング効果の面に向く。又リニア電機の外層構造６３は、リニア電機の中層構造６２の電磁カップリング効果の面に向く。両方にある通電巻線の励磁型個別磁極１０１の磁極磁路の中間に永久磁石の磁極１０３を挟み、或いは、個別磁極１０１と磁路部材１０２との中間に励磁状態になっている永久磁石の磁極１０３を挟む。更に通電巻線により励磁される磁極１０１と磁路部材１０２との間に励磁状態になっている永久磁石の磁極１０３を挟む三層式リニア電機である。
【００６１】
本実施形態を三層式リニア電機の構造へ応用する構造の模式図を図４０のように示す。その中にあるリニア電機の内層構造及びリニア電機の外層構造の両方はリニア電機の中層構造と電磁カップリング効果を行う電磁カップリング効果の面に向き、通電巻線の励磁型個別磁極と磁路部材との間に励磁状態になっている永久磁石の磁極を挟む。
三層式リニア電機の構造を図４０のように示す。その中にあるリニア電機の内層構造６１及びリニア電機の外層構造６３の両方は、リニア電機の中層構造６２と電磁カップリング効果を行う電磁カップリング効果の面に向く。通電巻線の励磁型個別磁極１０１の磁極磁路の中間に永久磁石の磁極１０３を挟み、或いは、個別磁極１０１と磁路部材１０２との間に励磁状態になっている永久磁石の磁極１０３を挟む。リニア電機の中層構造６２と電磁効果をインタラクトする。更に通電巻線により励磁される磁極１０１と磁路部材１０２との間に励磁状態になっている永久磁石の磁極１０３を挟む三層式リニア電機である。
【００６２】
本実施形態を三層式リニア電機の構造へ応用する構造の模式図を図４１のように示す。その中にあるリニア電機の内層構造及びリニア電機の外層構造に電磁カップリング効果を供するリニア電機の中層構造はその両側にある電磁カップリング効果の面に通電巻線の励磁型個別磁極を設置し、磁路部材との間に励磁状態になっている永久磁石の磁極を挟む。
三層式リニア電機の構造を図４１のように示す。その中にあるリニア電機の内層構造６１及びリニア電機の外層構造６３に電磁カップリング効果を供するリニア電機の中層構造６２は、その両側にある電磁カップリング効果の面に通電巻線の励磁型個別磁極１０１の磁極を設置し、磁路部材との中間に永久磁石の磁極１０３を挟み、或いは、個別磁極１０１と磁路部材１０２との間に励磁状態になっている永久磁石の磁極１０３を挟む。リニア電機の内層構造６１及びリニア電機の外層構造６３と電磁効果をインタラクトし、更に通電巻線により励磁される磁極１０１と磁路部材１０２との間に励磁状態になっている永久磁石の磁極１０３を挟む三層式リニア電機である。
【００６３】
本実施形態を三層式リニア電機の構造へ応用する構造の模式図を図４２のように示す。その中にあるリニア電機の内層構造及びリニア電機の外層構造と電磁カップリング効果を行うリニア電機の中層構造に永久磁石の磁極を設置することにより、磁極を構成し、永久磁石の磁極に励磁状態になっている通電励磁巻線を巻付ける。
三層式リニア電機の構造を図４２のように示す。その中にある電機の内層構造６１及び電機の外層構造６３は、電磁カップリング効果を行う電機の中層構造６２に永久磁石の磁極１０３を設置することにより、磁極を構成し、永久磁石の磁極１０３に通電励磁巻線１００を巻付け、永久磁石の磁極１０３の両端の磁極別々に電機の外層構造６３及び電機の内層構造６１の両側でカップリングを行う電磁効果をインタラクトし、更に永久磁石の磁極に励磁状態になっている巻線を巻付けるの三層式リニア電機である。
【００６４】
上記図１２から図４２に示された永久磁石の磁極１０３と通電励磁巻線の設置位置は、三層式同軸リング状電機構造体、三層式同軸ディスク電機構造体、三層式リニア電機構造体、その他三ピースの電機構造体と電磁効果をインタラクトする中間電機構造体を含む。
永久磁石の磁極１０３及び通電励磁巻線１００の中間にある電機構造体は、電機の静止部或いは導電ブラシ、導電リング、導電片を選択し、電機の可動部として配置可能である。
【００６５】
上記図１２から図４２に示された実施形態では、各電機の構造の電磁カップリング効果の面に設置する磁極の極数は、ニーズに従って同じ極数或いは異なる極数の選択が可能である。
上記図１２から図４２に示された通電巻線の励磁型個別磁極１０１と磁路部材１０２との間に挟み取り付ける永久磁石の磁極１０３は、ニーズに従って異極性の通電巻線の励磁型個別磁極１０１の間にある磁路部材１０２の中間に選択設置することができ、永久磁石の磁極１０３を固定設置或いは挟み取り付ける。
【００６６】
本実施形態を永久磁石の磁極へ応用する構造の模式図を図４３のように示す。異なる通電巻線の励磁型個別磁極の間にある磁路部材の中間に挟み取り付ける。
上記図１２から図４２に示された各実施形態の中で、個別磁極１０１の通電巻線１００の励磁電気エネルギーの入力方式は下記を含む。
１．通電巻線の励磁型個別磁極の電機パーツが可動部である場合は、導電リングと導電ブラシを通して励磁電気エネルギーを入力してよい。
【００６７】
２．或いは、通電巻線の励磁型個別磁極の電機パーツが静止部である場合は、励磁巻線に対して直接送電できる。
本実施形態の通電巻線により励磁される磁極によって永久磁石の磁極を挟む電機への応用は、二個の電磁効果を通してインタラクトする電機パーツのシリンダー電機（図１２及び図１３）、二層式ディスク電機（図２３）、二層式リニア電機（図３３）の中で、発電機機能、電動機機能、発電機兼電動機機能、電磁効果を行う渦巻きカップリング伝動機能、電磁効果を行う渦巻き制動機能の二個のインタラクトする電機パーツを含む。その作動形態は、下記を含む。
【００６８】
１．その中にある一個の電機パーツを電機の静止部とし、もう一個の電機パーツを電機の可動部とする。
２．或いは、二個の電機パーツを全て電機の可動部とする。
本実施形態の通電巻線により励磁される磁極によって永久磁石の磁極を挟む電機への応用は、三個の電磁効果を通してインタラクトする電機パーツの同軸三リング式電機（図１４から図２２）、同軸三層式ディスク電機（図２４から図３２）、三層式リニア電機（図３４から図４２）、その他三ピースの電機構造体と電磁効果をインタラクトする電機構造の中での発電機機能、電動機機能、発電機兼電動機機能、電磁効果の渦巻きカップリング伝動機能、電磁効果渦巻き制動機能の三個のインタラクトの電機パーツを含む。その作動形態は、下記を含む。
【００６９】
１．その中にある一個の電磁パーツを電機の静止部とし、残りの二個の電磁パーツを電機の可動部とする。
２．或いは、その中にある二個の電磁パーツを電機の静止部とし、残りの一個の電磁パーツを電機の可動部とする。
３．或いは、三個の電磁パーツを全て電機の可動部とする。
【００７０】
本実施形態の通電巻線により励磁される磁極によって永久磁石の磁極を挟む電機は、上記図２から図４３で述べた各実施形態の中で、通電巻線の励磁型個別磁極によって永久磁石の磁極を挟む電機パーツを設け、電磁カップリング効果をインタラクトするその他電機パーツを設置し、電機の構造及び巻線の選択及び配置方式は電機全体の属性に従って入力する電気エネルギーの性質、制御機能、制御様式及び出力性能のニーズに従って選定する。
【００７１】
本実施形態の通電巻線により励磁される磁極によって永久磁石の磁極を挟む電機では、電磁効果をインタラクトする特性の選択及び取り付けた磁極極数の選択に従って構成する電機全体は、直流や交流電気エネルギーで作動するロータリー電機やリニア電機を始め、ローター式ブラシ電機、ブラシレス電機、リング電機、シンクロ電機、アシンクロナス電機、正回転電機、電機の中間構造の回転式電機、逆回転電機、ダブルアクション電機、トリプルアクション電機、多層式電機、多リング電機、リニア電機、ブラシレス直流電機、インバーター電機、発電機機能、発電機、電動機、発電機兼電動機機能電機、電磁効果を行う渦巻きカップリング伝動装置、電磁効果を行う渦巻き制動装置等の電機装置への作動を含む。
【００７２】
上記をまとめると、本実施形態の通電巻線により励磁される磁極によって永久磁石の磁極を挟む電機は、通電巻線によって励磁される磁極１０１と磁路部材１０２との間に励磁状態になっている永久磁石の磁極１０３を挟むことにより、励磁電流を減らすことは、永久磁石の磁極を極面に貼り付ける伝統的な方式と比較すると、永久磁石の磁極は脱落することが避けられ、作動中に、逆方向励磁により磁力が弱くなることが避けられる。
【符号の説明】
【００７３】
１：電機の内層構造体、２：電機の外層構造体、３：電機子、１１：シリンダー電機の内層構造、１２：シリンダー電機の外層構造、２１：同軸三リング式電機の内リング構造、２２：同軸三リング式電機の中リング構造、２３：同軸三リング式電機の外リング構造、３１：同軸二層式ディスク電機の中層ディスク構造、３２：同軸二層式ディスク電機の外層ディスク構造、４１：同軸三層式ディスク電機の中層ディスク構造、４２：同軸三層式ディスク電機の中層ディスク構造、４３：同軸三層式ディスク電機の外層ディスク構造、５１：二層式リニア電機のリニア電機の内層構造、５２：二層式リニア電機のリニア電機の外層構造、６１：三層式リニア電機のリニア電機の内層構造、６２：三層式リニア電機のリニア電機の中層構造、６３：三層式リニア電機のリニア電機の外層構造、１００：通電巻線、１０１：磁極、１０２：磁路部材、１０３：永久磁石の磁極
【図１】
2009124938.tif 000003
【図２】
2009124938.tif 000004
【図３】
2009124938.tif 000005
【図４】
2009124938.tif 000006
【図５】
2009124938.tif 000007
【図６】
2009124938.tif 000008
【図７】
2009124938.tif 000009
【図８】
2009124938.tif 000010
【図９】
2009124938.tif 000011
【図１０】
2009124938.tif 000012
【図１１】
2009124938.tif 000013
【図１２】
2009124938.tif 000014
【図１３】
2009124938.tif 000015
【図１４】
2009124938.tif 000016
【図１５】
2009124938.tif 000017
【図１６】
2009124938.tif 000018
【図１７】
2009124938.tif 000019
【図１８】
2009124938.tif 000020
【図１９】
2009124938.tif 000021
【図２０】
2009124938.tif 000022
【図２１】
2009124938.tif 000023
【図２２】
2009124938.tif 000024
【図２３】
2009124938.tif 000025
【図２４】
2009124938.tif 000026
【図２５】
2009124938.tif 000027
【図２６】
2009124938.tif 000028
【図２７】
2009124938.tif 000029
【図２８】
2009124938.tif 000030
【図２９】
2009124938.tif 000031
【図３０】
2009124938.tif 000032
【図３１】
2009124938.tif 000033
【図３２】
2009124938.tif 000034
【図３３】
2009124938.tif 000035
【図３４】
2009124938.tif 000036
【図３５】
2009124938.tif 000037
【図３６】
2009124938.tif 000038
【図３７】
2009124938.tif 000039
【図３８】
2009124938.tif 000040
【図３９】
2009124938.tif 000041
【図４０】
2009124938.tif 000042
【図４１】
2009124938.tif 000043
【図４２】
2009124938.tif 000044
【図４３】
2009124938.tif 000045
【外国語明細書】
2009124938.tif 000046
2009124938.tif 000047
2009124938.tif 000048
2009124938.tif 000049
2009124938.tif 000050
2009124938.tif 000051
2009124938.tif 000052
2009124938.tif 000053
2009124938.tif 000054
2009124938.tif 000055
2009124938.tif 000056
2009124938.tif 000057
2009124938.tif 000058
2009124938.tif 000059
2009124938.tif 000060
2009124938.tif 000061
2009124938.tif 000062
2009124938.tif 000063
2009124938.tif 000064
2009124938.tif 000065
2009124938.tif 000066
2009124938.tif 000067
2009124938.tif 000068
2009124938.tif 000069
2009124938.tif 000070
2009124938.tif 000071
2009124938.tif 000072
2009124938.tif 000073
2009124938.tif 000074
2009124938.tif 000075
2009124938.tif 000076
2009124938.tif 000077
2009124938.tif 000078
2009124938.tif 000079
2009124938.tif 000080
2009124938.tif 000081
2009124938.tif 000082
2009124938.tif 000083
2009124938.tif 000084
2009124938.tif 000085
2009124938.tif 000086
2009124938.tif 000087
2009124938.tif 000088
2009124938.tif 000089
2009124938.tif 000090
2009124938.tif 000091
2009124938.tif 000092
2009124938.tif 000093
2009124938.tif 000094
2009124938.tif 000095
2009124938.tif 000096
2009124938.tif 000097
2009124938.tif 000098
2009124938.tif 000099
2009124938.tif 000100
2009124938.tif 000101
2009124938.tif 000102
2009124938.tif 000103
2009124938.tif 000104
2009124938.tif 000105
2009124938.tif 000106
2009124938.tif 000107
2009124938.tif 000108
2009124938.tif 000109
2009124938.tif 000110
2009124938.tif 000111
2009124938.tif 000112
2009124938.tif 000113
2009124938.tif 000114
2009124938.tif 000115
2009124938.tif 000116
2009124938.tif 000117
2009124938.tif 000118
2009124938.tif 000119
2009124938.tif 000120
2009124938.tif 000121
2009124938.tif 000122
2009124938.tif 000123
2009124938.tif 000124
2009124938.tif 000125
2009124938.tif 000126
2009124938.tif 000127
2009124938.tif 000128
2009124938.tif 000129
2009124938.tif 000130